(57)【要約】【課題】    受信するチャンネル数が増減，または受信レベルが変動しても，煩雑な利得調整を行うことなく利得を適切に調整可能な、利便性の高いテレビ受信用増幅装置を提供する。【解決手段】入力端子１１と出力端子１２と，第１のＡＧＣ増幅器２０と第２のＡＧＣ増幅器３０を備え，第１のＡＧＣ増幅器２０と第２のＡＧＣ増幅器３０は，入力端子１１と出力端子１２間に直列に接続され，歪率が規定範囲内でかつ所定レベルとなるように，第１の自動利得調整部２８が，第１の出力分岐手段２３により分岐されたテレビ信号の平均値を検波した検波電圧と，所定の歪率となるときの制御用基準電圧とを比較し，該比較結果に応じて第１の高周波信号減衰手段２１の減衰量を制御し，また，前記第２の自動利得調整部３８は，第２の分岐回路３３により分岐されたテレビ信号のピーク値を検波した検波電圧に基づいて第２の高周波信号信号減衰器３１の減衰量を制御する。【選択図】  図２
2006067369.tif 000002
【特許請求の範囲】
【請求項１】
テレビ放送波受信用のアンテナにて受信したテレビ信号を増幅して端末側に伝送するために用いられるテレビ受信用増幅装置において、
筐体に入力端子と出力端子と，
第１のＡＧＣ増幅器と第２のＡＧＣ増幅器を備え，
前記第1のＡＧＣ増幅器と前記第２のＡＧＣ増幅器は，前記入力端子と前記出力端子間に直列に接続されると共に，
前記第１のＡＧＣ増幅器には，第１の増幅手段と，第１の信号減衰手段と，前記第１の増幅手段にて増幅されたテレビ信号の一部を分岐させる第１の出力分岐手段と，前記第１の増幅手段による増幅後のテレビ信号の歪率が所定の規格範囲内となるように，前記第１の出力分岐手段により分岐されたテレビ信号に基づいて前記第１の信号減衰手段の減衰量を制御するための第１の自動利得調整手段とを備え，
前記第２のＡＧＣ増幅器には，第２の増幅手段と，第２の信号減衰手段と，前記第２の増幅手段にて増幅されたテレビ信号の一部を分岐させる第２の出力分岐手段と，前記第２の増幅手段による増幅後のテレビ信号が所定レベルとなるように，前記第２の出力分岐手段により分岐されたテレビ信号に基づいて前記第２の信号減衰手段の減衰量を制御するための第２の自動利得調整手段と，
を備え，前記入力端子に入力されるテレビ信号の信号レベル及び波数が変動しても，出力端子から常に所定レベルのテレビ信号が出力されることを特徴とするテレビ受信用増幅装置。
【請求項２】
前記第１の自動利得調整手段は，前記第１の出力分岐手段により分岐されたテレビ信号の平均値または実効値を検波する第１の検波回路と，前記第１の増幅手段の歪率が所定の規格範囲内であってかつ該第１の増幅手段による増幅後のテレビ信号があらかじめ設定された最大レベルであるときの該テレビ信号を前記第１の検波回路にて検波した検波電圧を制御用基準電圧として，制御用基準電圧と前記第１の検波回路による検波電圧とを比較し，該比較結果に応じて前記第１の信号減衰手段の減衰量を制御する比較・制御回路とからなる第１のＡＧＣ回路で構成し，
前記第２の自動利得調整手段は，前記第２の出力分岐手段により分岐されたテレビ信号のピーク値を検波する第２の検波回路と，基準電圧と前記第２の検波回路にて検波された検波電圧とを比較し，該比較結果に応じて前記第２の信号減衰手段の減衰量を制御する比較・制御回路とからなる第２のＡＧＣ回路で構成したことを特徴とした請求項１に記載のテレビ受信用増幅装置。
【発明の詳細な説明】
【技術分野】
【０００１】
本発明は、周波数の異なる複数チャンネルのテレビ信号（高周波信号）を増幅するためのテレビ受信用増幅装置に関する。
【背景技術】
【０００２】
ビルや家庭のテレビ受信システムにおいては、通常、アンテナにて受信したテレビ信号を増幅してテレビ受像機へ伝送するためのテレビ受信用増幅装置（以下単に「増幅装置」ともいう）が設けられるが、増幅装置の利得調整等が適切になされていないと、例えば入力信号の強度が強い場合、増幅装置が飽和して高調波や歪みが発生してしまい、テレビ受像機においてテレビ放送の正常な受信ができなくなるおそれがある。そのため、テレビ受像機にてテレビ放送を正常に受信するためには、増幅装置の利得を適切に調整したり入力信号レベルを最適化したりする必要がある。
ところが、増幅装置の利得を調整するにあたっては、使用場所や電界強度等に応じてより適切な入力レベル・利得に調整する必要があり、その調整量・調整内容は設置場所によって異なる。そのため、増幅装置を設置する際には煩雑な利得調整作業が伴い、一般に施工には熟練が必要であった。
そこで、利得の設定ミス等によりテレビ受像機で正常な受信ができなくなることの無いよう、テレビ信号の強度が大きい場合にその旨を表示するように構成されたテレビ用ブースタも提案されている。具体的には、入出力端子間に減衰器と増幅回路とが設けられ、入力信号を減衰器で所定レベル減衰させた後に増幅回路で増幅させるブースタにおいて、アンテナから入力されたテレビ信号の強度を検出して予め設定された基準値よりも大きいか否かを判定し、その判定結果に基づいて表示部への表示を行うよう構成されている（例えば、特許文献１参照）。
上記特許文献１に記載のテレビ用ブースタによれば、表示部（発光ダイオード）の表示内容（点灯有無）に基づいて、入力されたテレビ信号が予め設定された基準値より大きいか否かを確認しながら敷設・施工することができ、例えば、入力レベルが小さくて発光ダイオードが点灯していない場合は減衰器の減衰量を少な目に設定してブースタ全体としての利得を上げ、逆に、入力レベルが大きくて発光ダイオードが点灯した場合は減衰器の減衰量を多めに設定してブースタ全体としての利得を下げるといった、入力レベルを確認しながら利得を調整できる。そのため、利得設定ミスが少なく、取付性の良いテレビ用ブースタの提供が可能となる。 
【０００３】
【特許文献１】特開平９−１３０６８６号公報
【発明の開示】
【発明が解決しようとする課題】
【０００４】
しかしながら、上記特許文献１に記載のテレビ用ブースタにおいては、当該ブースタの設置場所や電界強度に応じて、入力レベルが上記ブースタに予め設定された基準値より大きくならないように、すなわち表示部が何らかの表示をしないように減衰器を調整するのであるが、例えば、宅内での分配損失等を考慮しながら端末レベルを出来うる限り高くしたい場合を考えると、入力レベルが基準値より大きくならない範囲で最大の入力レベルが入力されるように減衰器の量を調整すること、つまり出来る限り減衰量を小さく設定することも考えられる。
このような場合に、入力レベルに大きな変動が生じてブースタに規定より大きな入力信号が入力されると、ブースタが飽和して高調波や歪みが規格の範囲を越えて発生してしまい、テレビ受像機においてテレビ放送の正常な受信ができなくなることが考えられる。またこのとき、仮にテレビ受像機においてテレビ放送の受信障害が無かったとしても、ブースタに備えられた表示部が、入力レベルオーバーである旨の表示をし続けることになり、ユーザーに不信を与えるといった問題があった。
一方、入力レベルの変動に適切に対応できるブースタとして、ピーク値検波による自動利得調整回路（以下「ＡＧＣ回路」と称す）を備えることにより出力レベルを補償して一定となるようにしたテレビ共聴用増幅装置が知られている。これは、増幅装置を構成する増幅部からの出力信号（つまり増幅後の信号）のピーク値を検波し、このピーク値に基づいて増幅部の利得を調整して出力レベルを一定に制御するものである。
しかし、このように構成された増幅装置であっても、例えばピーク電圧が変わらずにチャンネル数が増えた場合を考えると、入力されている信号の合成電力が増え、この合成電力に基づいて増幅器が作動するため，増幅器の最大入力レベルを超えてしまい，歪が発生して正常なテレビ信号を出力できなくなってしまうという問題が発生する。
特に近年、地上波デジタル放送が新たに始まり、従来のアナログ放送のＵＨＦ帯域に、従来のアナログ放送波に加えて地上波デジタル放送のチャンネルが増えることとなっている。この時、アナログ放送の受信時にテレビ受像機においてテレビ放送の正常な受信をしていた場合でも、地上波デジタル放送波の信号が入力信号に加算されて、アナログ放送と地上波デジタル放送との信号の合成電力がテレビ受信用増幅装置の最大入力レベルを超えてしまうといったことが考えられる。この合成電力の増大によって増幅装置が飽和してしまい、高調波や歪みが規格値を超えて発生し、テレビ受像機においてテレビ放送の正常な受信ができなくなるといった問題が考えられる。そのため、改めて適正入力レベルとなるように表示部を見ながら調整する必要がある。
本発明は上記課題に鑑みなされたものであり、設置場所によってテレビ信号レベルの違いがあっても、また，受信するチャンネル数の増減があっても，煩雑な利得調整を行うことなく利得を適切に調整可能な、利便性の高いテレビ受信用増幅装置を提供することを目的とする。
他の目的は，増幅回路の能力（特に最大出力レベル）を最大限に引き出せる高出力なテレビ受信用増幅装置を提供することである。
【課題を解決するための手段】
【０００５】
上記課題を解決するために，請求項１の発明は，テレビ放送波受信用のアンテナにて受信したテレビ信号を増幅して端末側に伝送するために用いられるテレビ受信用増幅装置において、
筐体に入力端子と出力端子と，第１のＡＧＣ増幅器と第２のＡＧＣ増幅器を備え，前記第1のＡＧＣ増幅器と前記第２のＡＧＣ増幅器は，前記入力端子と前記出力端子間に直列に接続されると共に，前記第１のＡＧＣ増幅器には，第１の増幅手段と，第１の信号減衰手段と，前記第１の増幅手段にて増幅されたテレビ信号の一部を分岐させる第１の出力分岐手段と，前記第１の増幅手段による増幅後のテレビ信号の歪率が所定の規格範囲内となるように，前記第１の出力分岐手段により分岐されたテレビ信号に基づいて前記第１の信号減衰手段の減衰量を制御するための第１の自動利得調整手段とを備え，前記第２のＡＧＣ増幅器には，第２の増幅手段と，第２の信号減衰手段と，前記第２の増幅手段にて増幅されたテレビ信号の一部を分岐させる第２の出力分岐手段と，前記第２の増幅手段による増幅後のテレビ信号が所定レベルとなるように，前記第２の出力分岐手段により分岐されたテレビ信号に基づいて前記第２の信号減衰手段の減衰量を制御するための第２の自動利得調整手段とを備え，前記入力端子に入力されるテレビ信号の信号レベル及び波数が変動しても，出力端子から常に所定レベルのテレビ信号が出力されるように構成される。
【０００６】
請求項２の発明は，請求項１に記載のテレビ受信用増幅装置において，前記第１の自動利得調整手段は，前記第１の出力分岐手段により分岐されたテレビ信号の平均値または実効値を検波する第１の検波回路と，前記第１の増幅手段の歪率が所定の規格範囲内であってかつ該第１の増幅手段による増幅後のテレビ信号があらかじめ設定された最大レベルであるときの該テレビ信号を前記第１の検波回路にて検波した検波電圧を制御用基準電圧として，制御用基準電圧と前記第１の検波回路による検波電圧とを比較し，該比較結果に応じて前記第１の信号減衰手段の減衰量を制御する比較・制御回路とからなる第１のＡＧＣ回路で構成し，前記第２の自動利得調整手段は，前記第２の出力分岐手段により分岐されたテレビ信号のピーク値を検波する第２の検波回路と，基準電圧と前記第２の検波回路にて検波された検波電圧とを比較し，該比較結果に応じて前記第２の信号減衰手段の減衰量を制御する比較・制御回路とからなる第２のＡＧＣ回路で構成される。
【発明の効果】
【０００７】
請求項１の発明によれば，  上記課題を解決するために，請求項１の発明は，テレビ放送波受信用のアンテナにて受信したテレビ信号を増幅して端末側に伝送するために用いられるテレビ受信用増幅装置において、
筐体に入力端子と出力端子と，第１のＡＧＣ増幅器と第２のＡＧＣ増幅器を備え，前記第1のＡＧＣ増幅器と前記第２のＡＧＣ増幅器は，前記入力端子と前記出力端子間に直列に接続されると共に，前記第１のＡＧＣ増幅器には，第１の増幅手段と，第１の信号減衰手段と，前記第１の増幅手段にて増幅されたテレビ信号の一部を分岐させる第１の出力分岐手段と，前記第１の増幅手段による増幅後のテレビ信号の歪率が所定の規格範囲内となるように，前記第１の出力分岐手段により分岐されたテレビ信号に基づいて前記第１の信号減衰手段の減衰量を制御するための第１の自動利得調整手段とを備え，前記第２のＡＧＣ増幅器には，第２の増幅手段と，第２の信号減衰手段と，前記第２の増幅手段にて増幅されたテレビ信号の一部を分岐させる第２の出力分岐手段と，前記第２の増幅手段による増幅後のテレビ信号が所定レベルとなるように，前記第２の出力分岐手段により分岐されたテレビ信号に基づいて前記第２の信号減衰手段の減衰量を制御するための第２の自動利得調整手段とを備え，前記入力端子に入力されるテレビ信号の信号レベル及び波数が変動しても，出力端子から常に所定レベルのテレビ信号が出力されるように構成したので，
設置場所によってテレビ信号レベルの違いがあっても、また，受信するチャンネル数の増減があっても，煩雑な利得調整を行うことなく利得を適切に調整可能な、利便性の高いテレビ受信用増幅装置を提供することができる。
【０００８】
請求項２の発明によれば，請求項１に記載のテレビ受信用増幅装置において，前記第１の自動利得調整手段は，前記第１の出力分岐手段により分岐されたテレビ信号の平均値または実効値を検波する第１の検波回路と，前記第１の増幅手段の歪率が所定の規格範囲内であってかつ該第１の増幅手段による増幅後のテレビ信号があらかじめ設定された最大レベルであるときの該テレビ信号を前記第１の検波回路にて検波した検波電圧を制御用基準電圧として，制御用基準電圧と前記第１の検波回路による検波電圧とを比較し，該比較結果に応じて前記第１の信号減衰手段の減衰量を制御する比較・制御回路とからなる第１のＡＧＣ回路で構成し，前記第２の自動利得調整手段は，前記第２の出力分岐手段により分岐されたテレビ信号のピーク値を検波する第２の検波回路と，基準電圧と前記第２の検波回路にて検波された検波電圧とを比較し，該比較結果に応じて前記第２の信号減衰手段の減衰量を制御する比較・制御回路とからなる第２のＡＧＣ回路で構成したので，
増幅回路の能力（特に最大出力レベル）を最大限に引き出せる高出力なテレビ受信用増幅装置を提供することである。
【発明を実施するための最良の形態】
【０００９】
以下に，本発明を具体化した実施形態の例を，図面を基に詳細に説明する。
【００１０】
図１は、本実施形態のテレビ受信システムの概略構成を示す説明図である。本実施形態のテレビ受信システム１は、ビルや住戸内において各種テレビ放送を視聴するために設けられるものであり、図１に示す如く、ＶＨＦ帯の放送電波を受信するＶＨＦアンテナ２と、ＵＨＦ帯の放送電波を受信するＵＨＦアンテナ３と、衛星放送（ＢＳ）の電波を受信するＢＳアンテナ４とを備えており、これら各アンテナ２，３，４からの受信電波（以下「テレビ信号」という）は、それぞれ同軸ケーブル２ａ，３ａ，４ａによってテレビ受信用増幅装置１０に伝送される。
そして、上記各テレビ信号は増幅装置１０内で合成・増幅され、その出力は同軸ケーブル５を介して宅内に引き込まれる。同軸ケーブル５には分配器６が接続されており、増幅装置１０からの出力が４分配される。この分配出力のうち１系統は、同軸ケーブル７、テレビ端子８を介してＶＵ・ＢＳ分波器９に接続され、このＶＵ・ＢＳ分波器９のＶＵ側にはテレビ受像機９ａが、ＢＳ側にはＢＳチューナー９ｂが接続されている。
【００１１】
次に、本実施形態のテレビ受信システム１を構成するテレビ受信用増幅装置１０について、図２に基づいて説明する。尚，図２ではＵＨＦ帯のテレビ信号を増幅する増幅部のみを記載している。テレビ受信用増幅装置１０は、筐体に入力端子１１と出力端子１２を備えている。テレビ受信用増幅装置１０は、入力端子１１と出力端子１２との間に、第１のＡＧＣ増幅器２０と第２のＡＧＣ増幅器３０が直列に接続されており，それぞれ，入力端子１１は前記第１のＡＧＣ増幅器２０の入力端子２０ａと接続されており，また，出力端子１２は前記第２のＡＧＣ増幅器３０の出力端子３０ｂと接続されている。また，第１のＡＧＣ増幅器２０の出力端子２０ｂと第２のＡＧＣ増幅器３０の入力端子３０ａが接続されている。
【００１２】
第１のＡＧＣ増幅器２０は，テレビ信号を減衰させるための第１の高周波信号減衰器２１，テレビ信号を増幅するための第１の増幅回路２２，テレビ信号の一部を分岐して取り出すための第１の分岐回路２３と，第１の自動利得調整部（第１のＡＧＣ回路）２８で構成されている。
第１の自動利得調整部２８は，受信帯域外の不要信号を除去するためのフィルタ２４，受信帯域内のテレビ信号の平均値電圧を検出するための平均値検波回路２５，基準電圧と検波電圧を比較し第１の高周波信号減衰器２１の減衰量を制御するための第１の比較・制御部２６，第１の増幅部の最大出力レベルに対応する基準電圧を生成するための第１の基準電圧回路２７から構成されている。
【００１３】
第１の高周波信号減衰器２１には制御入力端子２１ａを備えており，減衰量は，制御入力端子２１ａを介して，第１の自動利得調整部２８からの制御信号によって制御される。この第１の自動利得調整部２８は、第１の分岐回路２３からの分岐出力に基づいて第１の高周波信号減衰器２１への制御信号を生成するためのものである。
【００１４】
第１のフィルタ２４は、第１の分岐回路２３の分岐出力端子２３ａに接続されており、第１の増幅回路２２で増幅する信号の周波数帯（本実施例ではＵＨＦ帯）と同様の周波数帯の信号を通過させる。この第１のフィルタ２４は、例えばバンドパスフィルタにて構成してもよいし、ハイパスフィルタとローパスフィルタとを組合せて構成してもよく、その具体的な構成（種類）は問わない。この第１のフィルタ２４によって、通過帯域外に発生する妨害電波（例えば、携帯電話からの電波等）により第１の自動利得調整部２８の主機能であるＡＧＣ機能（自動利得調整機能）が誤作動するのを防止できる。ただし、妨害電波の影響を考える必要がない場合など、特に必要ない場合はこの第１のフィルタ２４は使用しなくてもよい。
【００１５】
平均値検波回路２５は、フィルタ２４から出力された分岐出力信号を取り込み、前記第１の増幅回路２２の出力レベルの強度を検出するものである。この平均値検波回路２５は、具体的には、例えば信号検波用のダイオードによる検波回路とコンデンサ及び抵抗等で構成した平滑回路からなり，前記コンデンサ及び抵抗の時定数を適切な値に設定することにより，前記分岐出力信号の平均値に対応する検波電圧を出力するようになっている。平均値検波することにより，分岐出力信号，換言すると入力端子１１に入力された複数チャンネルのテレビ信号（本実施例ではＵＨＦ帯のテレビ信号）の電力和に相当する検波電圧を得ることができる。
【００１６】
次に，第１の比較・制御部２６は、平均値検波回路２５から出力される検出値（検波電圧）を取り込み、基準値（基準電圧Ｖｒｅｆ１）と比較することによって、当該第１の増幅回路２２からの出力レベルが所定の基準レベルを超えているか否かを判定するものであり、例えばオペレーショナルアンプと抵抗等で構成した演算回路を用いて構成される。
【００１７】
第１の基準電圧回路２７は、第１の比較・制御部２６における比較・判定の基準となる基準電圧Ｖｒｅｆ１を生成するものであり、電源電圧Ｖｃｃを抵抗や可変抵抗器の組合せによる抵抗比でもって分圧することにより、所望の基準電圧Ｖｒｅｆ１を生成できるよう構成されている。
そして，本実施例では前記基準電圧として，前記第１の増幅回路２２の歪率が所定の規格範囲内であってかつ該第１の増幅回路２２による増幅後のテレビ信号があらかじめ設定された最大レベルであるときの該テレビ信号を前記平均値検波回路にて検波した検波電圧と同一の値に設定している。
【００１８】
次に，第２のＡＧＣ増幅器３０について説明する。第２のＡＧＣ増幅器３０は，テレビ信号を減衰させるための第２の高周波信号減衰器３１，テレビ信号を増幅するための第２の増幅回路３２，テレビ信号の一部を分岐して取り出すための第２の分岐回路３３と，第２の自動利得調整部（第２のＡＧＣ回路）３８で構成されている。第２の自動利得調整部３８は，受信帯域外の不要信号を除去するためのフィルタ３４，受信帯域内のテレビ信号のピーク値電圧を検出するためのピーク値検波回路３５，基準電圧と検波電圧を比較し第２の高周波信号減衰器３１の減衰量を制御するための第２の比較・制御部３６，基準電圧を生成するための第２の基準電圧回路３７から構成されている。
【００１９】
第２の高周波信号減衰器３１には制御入力端子３１ａを備えており，減衰量は，制御入力端子３１ａを介して，第２の自動利得調整部３８からの制御信号によって制御される。この第２の自動利得調整部３８は、第２の分岐回路３３からの分岐出力に基づいて第２の高周波信号減衰器３１への制御信号を生成するものである。
【００２０】
次に，第２のフィルタ３４は、上記同様の目的により使用されている。具体的には，第２の分岐回路３３の分岐出力端子３３ａに接続されており、第２の増幅回路３２で増幅する信号の周波数帯（本実施例ではＵＨＦ帯）と同様の周波数帯の信号を通過させる。この第２のフィルタ３４は、例えばバンドパスフィルタにて構成してもよいし、ハイパスフィルタとローパスフィルタとを組合せて構成してもよく、その具体的な構成（種類）は問わない。この第２のフィルタ３４によって、通過帯域外に発生する妨害電波（例えば、携帯電話からの電波等）により第２の自動利得調整部３８の主機能であるＡＧＣ機能（自動利得調整機能）が誤作動するのを防止できる。ただし、妨害電波の影響を考える必要がない場合など、特に必要ない場合はこの第２のフィルタ３４は使用しなくてもよい。
【００２１】
ピーク値検波回路３５は、フィルタ３４から出力された分岐出力信号を取り込み、前記第２の増幅回路３２の出力レベルの強度を検出するものである。このピーク値検波回路３５は、具体的には、例えば信号検波用のダイオードによる検波回路とコンデンサ及び抵抗等で構成した積分回路からなり，前記コンデンサ及び抵抗の時定数を適切な値に設定することにより，前記分岐出力信号のピーク値に対応する検波電圧を出力するようになっている。ピーク値検波することにより，分岐出力信号，換言すると入力端子１１に入力された複数チャンネルのテレビ信号（本実施例ではＵＨＦ帯のテレビ信号）のピーク電圧に相当する検波電圧を得ることができる。
【００２２】
次に，第２の比較・制御部３６は、ピーク値検波回路３５から出力される検出値（検波電圧）を取り込み、基準値（基準電圧Ｖｒｅｆ２）と比較することによって、当該第２の増幅回路３２からの出力レベルが所定の基準レベルを超えているか否かを判定するものであり、例えばオペレーショナルアンプと抵抗等で構成した演算回路を用いて構成される。
【００２３】
第２の基準電圧回路３７は、第２の比較・制御部３６における比較・判定の基準となる基準電圧Ｖｒｅｆ２を生成するものであり、電源電圧Ｖｃｃを抵抗や可変抵抗器の組合せによる抵抗比でもって分圧することにより、所望の基準電圧Ｖｒｅｆ２を生成できるよう構成されている。
また，この基準電圧を調整できるようにすることにより，第２のＡＧＣ増幅器３０の出力レベル換言するとテレビ受信用増幅装置１０の出力レベルを任意の値に設定できる。
【００２４】
次に，テレビ受信用増幅装置１０の動作について説明する。
入力端子１１から入力されたテレビ信号、ここでは例えばＵＨＦ帯（４７０〜７７０ＭＨｚ）の信号について説明する。ＵＨＦ帯のテレビ信号は入力端子１１を介して，テレビ受信用増幅装置１０に取り込まれる。
【００２５】
受信用増幅装置１０に取り込まれたＵＨＦ帯のテレビ信号は第１のＡＧＣ増幅器２０の入力端子２０ａを介して，第１のＡＧＣ増幅器２０に取り込まれる。
第１のＡＧＣ増幅器２０に取り込まれたテレビ信号は第１の高周波信号減衰器２１、第１の増幅回路２２、第１の分岐回路２３を介して出力端子２０ｂに出力されると共に，出力信号の一部が分岐出力端子２３ａを介して，第１の自動利得調整部２８に出力される。
【００２６】
そして，第１の自動利得調整部２８に出力されたテレビ信号は第１のフィルタ２４で受信帯域以外の不要信号が除去され平均値検波回路２５に出力される。
平均値検波回路２５では入力された受信帯域内のテレビ信号を検波してその平均値電圧を第１の比較・制御部２６に出力する。このように，テレビ信号を平均値検波することにより，上述したように検波回路の部品点数を少なくでき，その結果検波回路を簡単に構成できる。
【００２７】
そして，第１の比較・制御部２６は検波電圧と，第１の基準電圧回路２７で発生した基準電圧と比較し，基準電圧より，検波電圧の方が大きければ，前記、第１の高周波信号減衰器２１の減衰量が大きくなるように制御して，第１のＡＧＣ増幅器は利得が下がるようになる。一方，基準電圧より，検波電圧の方が小さければ，第１の高周波信号減衰器２１の減衰量が小さくなるように制御して，第１のＡＧＣ増幅器の利得が上がるようになる。
【００２８】
ここで，第１の基準電圧回路２７で発生する基準電圧は前記第１の増幅手段の歪率が所定の規格範囲内であってかつ該第１の増幅手段による増幅後のテレビ信号があらかじめ設定された最大レベルであるときの該テレビ信号を前記平均値検波回路にて検波した検波電圧と一致する値に設定されている。
【００２９】
このように基準電圧を設定しているので，入力信号の波数が変動しても，常に，第１の増幅回路２２が持つ最大出力レベルを維持でき第１の増幅回路２２の能力を最大限に引き出すことができる。
【００３０】
次に，第１のＡＧＣ増幅器２０から出力されたテレビ信号は第１のＡＧＣ増幅器２０の出力端子２０ｂ，第２のＡＧＣ増幅器３０の入力端子３０ａを介して，第２のＡＧＣ増幅器３０に取り込まれる。
【００３１】
第２のＡＧＣ増幅器３０に取り込まれたテレビ信号は第２の高周波信号減衰器３１、第２の増幅回路３２、第２の分岐回路３３，出力端子３０ｂを介して出力端子１２に出力されると共に，出力信号の一部が分岐出力端子３３ａを介して，第２の自動利得調整部３８に出力される。
【００３２】
そして，第２の自動利得調整部３８に出力されたテレビ信号は第２のフィルタ３４で受信帯域以外の不要信号が除去されピーク値検波回路３５に出力される。
ピーク値検波回路３５では入力された受信帯域内のテレビ信号を検波してそのピーク値電圧を第２の比較・制御部３６に出力する。
【００３３】
そして，第２の比較・制御部３６は検波電圧と，第２の基準電圧回路３７で発生した基準電圧と比較し，基準電圧より，検波電圧の方が大きければ，前記、第２の高周波信号減衰器３１の減衰量が大きくなるように制御して，第２のＡＧＣ増幅器は利得が下がるようになる。一方，基準電圧より，検波電圧の方が小さければ，第２の高周波信号減衰器３１の減衰量が小さくなるように制御して，第２のＡＧＣ増幅器の利得が上がるようになる。
尚，本実施例では第１の検波回路として，テレビ信号の平均値電圧が出力されるようにしているが，テレビ信号の実効値電圧が出力されるようにしてもよい。実効値検波回路を使用すると検波電圧を抵抗負荷に供給したときに，直流と同じ電力を発生することができ，電力を計測するためには好適である。
【００３４】
このように構成することにより，本実施形態のテレビ受信用増幅装置１０は、受信するテレビ信号の波数増加による合成電力の増加にも対応できる。即ち、近年においてＵＨＦ帯では、従来のアナログ放送ばかりでなく、新しく地上波デジタル放送が開始されることになっており、この地上波デジタル放送波は、ＵＨＦ帯の低域周波数帯が用いられる。そのため、従来この周波数帯を利用していたアナログ放送を、地上波デジタル放送とは重ならない周波数帯に変更するアナログ周波数変更対策（アナアナ変換）を行い、地上波デジタル放送とアナログ放送とのサイマル放送が行われることになっている。このサイマル放送によって、ＵＨＦ帯のチャンネル数が増えることとなり、テレビ受信用増幅装置１０に入力されるテレビ信号の合成電力が増える場合があるのである。
【００３５】
次に，テレビ受信用増幅装置１０の出力特性について図３を基に詳細に説明する。図３（ａ）は入力波数に対する出力特性の関係を示すグラフで，点線は第１のＡＧＣ増幅器の出力特性を示しており,入力されたテレビ信号の波数が増加するに伴い,出力レベルが低下している。これは，第１の増幅回路２２への入力電力が増加するため，第１の増幅回路２２の歪率が規格範囲内になるように第１の高周波減衰器の減衰量が大きくなるよう第１の自動利得調整部が作動するためである。実線は第２のＡＧＣ増幅器の出力特性を示しており,入力されたテレビ信号の波数が増加しても出力レベルが一定になっていることがわかる。これは，出力レベルが所定値になるように第２の自動利得調整部が作動して,第２の高周波減衰器の減衰量を調整することにより,出力レベルを一定の値にしている。
一方，図３（ｂ）は入力レベルに対する出力特性の関係を示すグラフで，本実施例の場合，テレビ信号の入力レベルが７５ｄＢμから９０ｄＢμの範囲内であれば,一定の出力レベル１０３ｄＢμが得られていることがわかる。
【００３６】
以上詳述したように，本実施形態における第１の基準電圧は、第１の増幅回路２２の歪率が規格範囲内となる所定レベルのテレビ信号が第１の増幅回路２２から出力されたときにその出力されたテレビ信号を平均値検波回路２５にて検波した検波電圧に設定している。そのため、将来的にチャンネル数の増加による合成電力の増加が予想される地域にこのテレビ受信用増幅装置１０を設置したとしても、その合成電力増加に対応して第１の自動利得調整部２８が利得を適切に調整するため、改めて手作業による煩雑な調整等をする必要がなく、利便性の高いテレビ受信用増幅装置１０を提供することができる。
また，テレビ信号の入力レベルの変動に対しては，第２の自動利得調整部３８により，第２の増幅回路３２の出力レベルが所定値になるように第２のＡＧＣ増幅器３０が動作するのでテレビ信号の入力レベルが変化してもほぼ一定の出力レベルを得ることができ安定した受信が可能となる。
【００３７】
ここで、本実施形態の構成要素と本発明の構成要素の対応関係を明らかにする。本実施形態において、第１の高周波信号減衰器２１は本発明（請求項１）の第１の信号減衰手段に相当し、第１の増幅回路２２は本発明の第１の増幅手段に相当し、第１の分岐回路２３は本発明の第１の出力分岐手段に相当し、第１の自動利得調整部２８は本発明の第１の自動利得調整手段に相当する。また，第２の高周波信号減衰器３１は本発明の第２の信号減衰手段に相当し、第２の増幅回路３２は本発明の第２の増幅手段に相当し、第２の分岐回路３３は本発明の第２の出力分岐手段に相当し、第２の自動利得調整部３８は本発明の第２の自動利得調整手段に相当し，平均値検波回路２５が第１の検波回路に相当し，ピーク値検波回路３５が第２の検波回路に相当する。
【００３８】
尚，本発明は上記実施の形態に限定されるものではなく，以下に例示するように，本発明の趣旨を逸脱しない範囲で各部を適宜に変更して実施することも可能である。
たとえば，本実施例では，第１の増幅回路２２，第２の増幅回路３２を１段で構成したが，２以上で構成してもよい。また，本実施例ではフィルタ２４，３４の通過帯域幅として，受信帯域幅と同一に設定したが，特定の帯域に限定してＡＧＣ動作するようにしても良い。また，第１の比較・制御部２６，第２の比較・制御部３６の制御出力信号で，表示装置を設けても良い。表示装置を設けることにより，制御状況が容易に把握できる。
【図面の簡単な説明】
【００３９】
【図１】実施形態のテレビ受信システムの概略構成を示す説明図である。
【図２】実施形態のテレビ受信用増幅装置の概略構成を示すブロック図である。
【図３】実施形態のテレビ受信用増幅装置を構成する増幅回路の出力特性を説明するための説明図であり、（ａ）は入力波数に対する出力特性の関係を示すグラフ、（ｂ）は入力レベルに対する出力特性の関係を示すグラフを示す。
【符号の説明】
【００４０】
１…テレビ受信システム、２…ＶＨＦアンテナ、２ａ，３ａ，４ａ，５，７…同軸ケーブル、３…ＵＨＦアンテナ、４…ＢＳアンテナ、６…分配器、８…テレビ端子、９…ＶＵ・ＢＳ分波器、９ａ…テレビ受像機、９ｂ…ＢＳチューナ、１０…テレビ受信用増幅装置、１１…入力端子、１２…出力端子、２０…第１のＡＧＣ増幅器、２１…第１の高周波信号減衰器、２２…第１の増幅回路、２３…第１の分岐回路、２３ａ…第１の分岐出力端子、２４…第１のフィルタ、２５…平均値検波回路（第１の検波回路）、２６…第１の比較・制御部、２７…第１の基準電圧回路、２８…第１の自動利得調整部、３０…第２のＡＧＣ増幅器、３１…第２の高周波信号減衰器、３２…第２の増幅回路、３３…第２の分岐回路、３３ａ…第２の分岐出力端子、３４…第２のフィルタ、３５…ピーク値検波回路（第２の検波回路）、３６…第２の比較・制御部、３７…第２の基準電圧回路、３８…第２の自動利得調整部。
【図１】
2006067369.tif 000003
【図２】
2006067369.tif 000004
【図３】
2006067369.tif 000005